(57)【特許請求の範囲】
【請求項１】
配信エリア内の複数の移動局に対して緊急情報を通知するように構成されている緊急情報通知システムであって、
無線基地局と、
交換局と、
配信エリア及び緊急情報を含む緊急情報通知メッセージを、該配信エリアに対応する前記交換局に対して送信するように構成されているブロードキャスト装置とを具備しており、
前記交換局は、受信した前記緊急情報通知メッセージに含まれている前記配信エリアに対応するセルを抽出し、抽出した該セルを管理する前記無線基地局に対して、該セルの識別情報及び前記緊急情報を含む緊急情報通知メッセージを生成して送信するように構成されており、
前記無線基地局は、受信した前記緊急情報通知メッセージに含まれている前記セルの識別情報に対応するセルに対して、該緊急情報通知メッセージに含まれている前記緊急情報をブロードキャストするように構成されていることを特徴とする緊急情報通知システム。
【請求項２】
前記配信エリアに対応する交換局が、複数存在する場合、前記ブロードキャスト装置は、該複数の交換局の中から、該ブロードキャスト装置との間の接続状況が最も良い交換局に対して、前記緊急情報通知メッセージを送信するように構成されていることを特徴とする請求項１に記載の緊急情報通知システム。
【請求項３】
前記無線基地局を管理する交換局が、複数存在し、前記無線基地局が、異なる交換局から同一の緊急情報通知メッセージを受信した場合、該無線基地局は、最初に受信した緊急情報通知メッセージに含まれている前記緊急情報のみをブロードキャストするように構成されていることを特徴とする請求項１に記載の緊急情報通信システム。
【請求項４】
前記無線基地局を管理する交換局が、複数存在し、前記無線基地局が、異なる交換局から同一の緊急情報通知メッセージを受信した場合、該無線基地局は、最初に受信した以外の該緊急情報通知メッセージを破棄するように構成されていることを特徴とする請求項１に記載の緊急情報通知システム。
【発明の詳細な説明】
【技術分野】
【０００１】
本発明は、配信エリア内の複数の移動局に対して緊急情報を通知するように構成されている緊急情報通知システムに関する。
【背景技術】
【０００２】
３ＧＰＰでは、地震情報や津波情報等の緊急情報（同報情報）を配信するための「ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）」についての検討が進められている。
【０００３】
図６に示すように、「ＥＰＣ（Ｅｖｏｌｖｅｄ  Ｐａｃｋｅｔ  Ｃｏｒｅ）方式」や「Ｅ-ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）方式」の移動通信システムでは、かかる緊急情報を通知するための構成として、ＣＢＳプロバイダに接続されているブロードキャスト装置ＣＢＣ（Ｃｅｌｌ  Ｂｒｏａｄｃａｓｔ  Ｓｅｒｖｉｃｅ）と、交換局ＭＭＥ（Ｍｏｂｉｌｉｔｙ  Ｍａｎａｇｅｍｅｎｔ  Ｅｎｔｉｔｙ）と、無線基地局ｅＮＢとを具備している。
【０００４】
また、かかる移動通信システムでは、ブロードキャスト装置ＣＢＣと交換局ＭＭＥとの間のプロトコルスタック、及び、交換局ＭＭＥと無線基地局ｅＮＢとの間のプロトコルスタックは、図７に示すように規定されている。
【非特許文献１】ＴＳ  ２３.０４１  Ｔｅｃｈｎｉｃａｌ  ｒｅａｌｉｚａｔｉｏｎ  ｏｆ  Ｃｅｌｌ  Ｂｒｏａｄｃａｓｔ  Ｓｅｒｖｉｃｅ（ＣＢＳ）
【非特許文献２】ＴＲ  ２３.８２８  Ｅａｒｔｈｑｕａｋｅ  ａｎｄ  Ｔｓｕｎａｍｉ  Ｗａｒｎｉｎｇ  Ｓｙｓｔｅｍ  Ｒｅｑｕｉｒｅｍｅｎｔｓ  ａｎｄ  Ｓｏｌｕｔｉｏｎｓ  （ＥＴＷＳ）；  Ｓｏｌｕｔｉｏｎ  Ｐｌａｃｅｈｏｌｄｅｒ
【非特許文献３】ＴＳ  ２５.３２４  Ｂｒｏａｄｃａｓｔ/Ｍｕｌｔｉｃａｓｔ  Ｃｏｎｔｒｏｌ  （ＢＭＣ）
【発明の開示】
【発明が解決しようとする課題】
【０００５】
しかしながら、上述した「ＥＰＣ方式」や「Ｅ-ＵＴＲＡＮ方式」の移動通信システムでは、配信エリア内の複数の移動局に対して緊急情報を通知する具体的な方法について規定されていないため、１つ又は複数の通信事業者によって運用されている複数の移動通信システムが混在する環境において、ＣＢＳプロバイダが緊急情報を通知した場合に、配信エリア内の複数の移動局に対して、かかる緊急情報を迅速に且つ正確に通知することができないという問題点があった。
【０００６】
そこで、本発明は、上述の課題に鑑みてなされたものであり、「ＥＰＣ方式」や「Ｅ-ＵＴＲＡＮ方式」の移動通信システムにおいて、配信エリア内の複数の移動局に対して緊急情報を迅速に且つ正確に通知することができる緊急情報通知システムを提供することを目的とする。
【課題を解決するための手段】
【０００７】
本発明の第１の特徴は、配信エリア内の複数の移動局に対して緊急情報を通知するように構成されている緊急情報通知システムであって、ブロードキャスト装置は、配信エリア及び緊急情報を含む緊急情報通知メッセージを、該配信エリアに対応する交換局に対して送信するように構成されており、前記交換局は、接続されている全ての無線基地局に対して、受信した該緊急情報通知メッセージを転送するように構成されており、前記無線基地局は、受信した前記緊急情報通知メッセージに含まれている前記配信エリアに対応するセルに対して、該緊急情報通知メッセージに含まれている前記緊急情報をブロードキャストするように構成されていることを要旨とする。
【０００８】
本発明の第２の特徴は、配信エリア内の複数の移動局に対して緊急情報を通知するように構成されている緊急情報通知システムであって、ブロードキャスト装置は、配信エリア及び緊急情報を含む緊急情報通知メッセージを、該配信エリアに対応する交換局に対して送信するように構成されており、前記交換局は、受信した前記緊急情報通知メッセージに含まれている前記配信エリアに対応する無線基地局に対して、該緊急情報通知メッセージを転送するように構成されており、前記無線基地局は、受信した前記緊急情報通知メッセージに含まれている前記配信エリアに対応するセルに対して、該緊急情報通知メッセージに含まれている前記緊急情報をブロードキャストするように構成されていることを要旨とする。
【０００９】
本発明の第３の特徴は、配信エリア内の複数の移動局に対して緊急情報を通知するように構成されている緊急情報通知システムであって、ブロードキャスト装置は、配信エリア及び緊急情報を含む緊急情報通知メッセージを、該配信エリアに対応する交換局に対して送信するように構成されており、前記交換局は、受信した前記緊急情報通知メッセージに含まれている前記配信エリアに対応する無線基地局に対して、該緊急情報通知メッセージを転送するように構成されており、前記無線基地局は、配下の全てのセルに対して、前記緊急情報通知メッセージに含まれている前記緊急情報をブロードキャストするように構成されていることを要旨とする。
【００１０】
本発明の第４の特徴は、配信エリア内の複数の移動局に対して緊急情報を通知するように構成されている緊急情報通知システムであって、ブロードキャスト装置は、配信エリア及び緊急情報を含む緊急情報通知メッセージを、該配信エリアに対応する交換局に対して送信するように構成されており、前記交換局は、受信した前記緊急情報通知メッセージに含まれている前記配信エリアに対応するセルを管理する無線基地局に対して、該セルの識別情報を含む緊急情報通知メッセージを生成して送信するように構成されており、前記無線基地局は、受信した前記緊急情報通知メッセージに含まれている前記セルの識別情報に対応するセルに対して、該緊急情報通知メッセージに含まれている前記緊急情報をブロードキャストするように構成されていることを要旨とする。
【００１１】
本発明の第４の特徴において、前記配信エリアに対応する交換局が、複数存在する場合、前記ブロードキャスト装置は、該複数の交換局の中から、該ブロードキャスト装置との間の接続状況が最も良い交換局に対して、前記緊急情報通知メッセージを送信するように構成されていてもよい。
【００１２】
本発明の第５の特徴は、配信エリア内の複数の移動局に対して緊急情報を通知するように構成されている緊急情報通知システムであって、ブロードキャスト装置は、配信エリア及び緊急情報を含む緊急情報通知メッセージを、該ブロードキャスト装置との間の接続状況が最も良い交換局に対して送信するように構成されており、前記交換局は、受信した前記緊急情報通知メッセージに含まれている前記配信エリアに対応するセルを管理する無線基地局に対して、該セルの識別情報を含む緊急情報通知メッセージを生成して送信するように構成されており、前記無線基地局は、受信した前記緊急情報通知メッセージに含まれている前記セルの識別情報に対応するセルに対して、該緊急情報通知メッセージに含まれている前記緊急情報をブロードキャストするように構成されていることを要旨とする。
【００１３】
本発明の第４又は第５の特徴において、前記無線基地局は、同一の緊急情報通知メッセージを複数回受信した場合、２回目以降に受信した該緊急情報通知メッセージを破棄するように構成されていてもよい。
【発明の効果】
【００１４】
以上説明したように、本発明によれば、「ＥＰＣ方式」や「Ｅ-ＵＴＲＡＮ方式」の移動通信システムにおいて、配信エリア内の複数の移動局に対して緊急情報を迅速に且つ正確に通知することができる緊急情報通知システムを提供することができる。
【発明を実施するための最良の形態】
【００１５】
（本発明の第１の実施形態に係る緊急情報通知システム）
図１乃至図５を参照して、本発明の第１の実施形態に係る緊急情報通知システムについて説明する。
【００１６】
図１に示すように、本実施形態に係る緊急情報通知システムは、「ＥＰＣ方式」や「Ｅ-ＵＴＲＡＮ方式」の移動通信システムにおいて動作するものであって、配信エリア内の複数の移動局ＵＥに対して緊急情報を通知するための構成として、ＣＢＳプロバイダに接続されているブロードキャスト装置ＣＢＣと、交換局ＭＭＥと、無線基地局ｅＮＢとを具備している。
【００１７】
また、かかる緊急情報通知システムにおけるブロードキャスト装置ＣＢＣと交換局ＭＭＥとの間のプロトコルスタック及び交換局ＭＭＥと無線基地局ｅＮＢとの間のプロトコルスタックは、図７に示すものと同一である。
【００１８】
また、ブロードキャスト装置ＣＢＣは、ＰＬＭＮ（Ｐｕｂｌｉｃ  Ｌａｎｄ  Ｍｏｂｉｌｅ  Ｎｅｔｗｏｒｋ）内の複数のＰｏｏｌエリアのそれぞれに属する複数の交換局ＭＭＥに接続されていてもよい。
【００１９】
ここで、ブロードキャスト装置ＣＢＣは、複数の交換局ＭＭＥに接続されている場合には、ＣＢＳプロバイダから通知された緊急情報を含む「ＥＴＷＳメッセージ（緊急情報通知用メッセージ）を、配信エリアに対応する交換局ＭＭＥ、又は、ブロードキャスト装置ＣＢＣとの間の接続状況、具体的には、トランプポートレイヤの状況（例えば、ＴＣＰにおける「Ｋｅｅｐ  Ａｌｉｖｅメッセージ」）によって決定される特定の交換局ＭＭＥに対して送信するように構成されていてもよいし、接続されている全ての交換局ＭＭＭＥに対して送信するように構成されていてもよい。
【００２０】
例えば、ＣＢＳプロバイダが、任意のブロードキャスト装置ＣＢＣに対して、ＥＴＷＳメッセージを送信した場合、かかるブロードキャスト装置ＣＢＣは、ＥＴＷＳメッセージに含まれている配信エリアに基づいて、受信したＥＴＷＳメッセージを、どのＰｏｏｌエリアに属するどの交換局ＭＭＥに対して転送すべきか決定する。
【００２１】
また、ＣＢＳプロバイダが、災害等が発生したエリアに該当するＰｏｏｌエリアに対応するブロードキャスト装置ＣＢＣに対して、ＥＴＷＳメッセージを送信した場合、かかるブロードキャスト装置ＣＢＣは、ＥＴＷＳメッセージに含まれている配信エリアを考慮することなく、かかるＰｏｏｌエリア内で、トランプポートレイヤの状況の最も良い交換局ＭＭＥに対して、ＥＴＷＳメッセージを転送する。
【００２２】
ここで、特定のＰｏｏｌエリアに属するブロードキャスト装置ＣＢＣは、かかる特定のＰｏｏｌエリア内の複数の交換局ＭＭＥに接続されている、すなわち、かかる特定のＰｏｏｌエリア内の複数の交換局ＭＭＥとの間でトランスポートレイヤが確立されているものとする。
【００２３】
なお、ブロードキャスト装置ＣＢＣは、ＥＴＷＳメッセージに含まれている配信エリアに基づいて、受信したＥＴＷＳメッセージを転送すべき交換局ＭＭＥとして複数の交換局ＭＭＥを抽出した場合には、抽出した複数の交換局ＭＭＥの中から、トランプポートレイヤの状況の最も良い交換局ＭＭＥを選択してＥＴＷＳメッセージを転送するように構成されていてもよい。
【００２４】
同様に、交換局ＭＭＥは、ブロードキャスト装置ＣＢＣから受信したＥＴＷＳメッセージを、特定の無線基地局（配信エリアに対応する無線基地局等）ｅＮＢに対して送信するように構成されていてもよいし、接続されている全ての無線基地局ｅＮＢに対して送信するように構成されていてもよい。
【００２５】
また、無線基地局ｅＮＢは、交換局ＭＭＥから受信したＥＴＷＳメッセージに含まれる緊急情報を、特定のセル（配信エリアに対応するセル等）に対してブロードキャストするように構成されていてもよいし、配下の全てのセルに対してブロードキャストするように構成されていてもよい。
【００２６】
なお、無線基地局ｅＮＢは、１つ又は複数の交換局ＭＭＥから、同一のＥＴＷＳメッセージを複数回受信した場合には、２回目以降に受信したＥＴＷＳメッセージを破棄するように構成されていてもよい。
【００２７】
以下、図２乃至図５を参照して、本実施形態に係る緊急情報通知システムにおいて、配信エリア内の複数の移動局ＵＥに対して緊急情報を通知する動作について説明する。
【００２８】
第１に、図２を参照して、本実施形態に係る緊急情報通知システムにおけるＥＴＷＳメッセージの送信方法（１）について説明する。
【００２９】
図２に示すように、ステップＳ１０１において、ブロードキャスト装置ＣＢＣは、ＣＢＳプロバイダから受信した緊急情報に基づいて、当該緊急情報の配信エリアを決定し、当該配信エリア及び当該緊急情報を含むＥＴＷＳメッセージを、当該配信エリアに対応する交換局ＭＭＥ２及びＭＭＥ５に対して送信する。
【００３０】
ここで、ブロードキャスト装置ＣＢＣは、「配信エリア」と「交換局」とのマッピングテーブルを記憶しており、かかるマッピングテーブルを参照して、当該ＥＴＷＳメッセージ（緊急情報）の配信エリアを決定する。
【００３１】
ステップＳ１０２において、ＥＴＷＳメッセージを受信した交換局ＭＭＥ２及びＭＭＥ５は、各々が接続されている全ての無線基地局ｅＮＢに対して、受信したＥＴＷＳメッセージを転送する。
【００３２】
ステップＳ１０３において、ＥＴＷＳメッセージを受信した複数の無線基地局ｅＮＢは、受信したＥＴＷＳメッセージに含まれている配信エリアに対応するセル１０乃至２０に対して、かかるＥＴＷＳメッセージに含まれている緊急情報をブロードキャストする。
【００３３】
ここで、無線基地局ｅＮＢは、「配信エリア」と「セル」とのマッピングテーブルを記憶しており、かかるマッピングテーブルを参照して、当該ＥＴＷＳメッセージ（緊急情報）の配信エリアに対応するセルを抽出する。
【００３４】
第２に、図３を参照して、本実施形態に係る緊急情報通知システムにおけるＥＴＷＳメッセージの送信方法（２）について説明する。
【００３５】
図３に示すように、ステップＳ２０１において、ブロードキャスト装置ＣＢＣは、ＣＢＳプロバイダから受信した緊急情報に基づいて、当該緊急情報の配信エリアを決定し、当該配信エリア及び当該緊急情報を含むＥＴＷＳメッセージを、当該配信エリアに対応する交換局ＭＭＥ２及びＭＭＥ５に対して送信する。
【００３６】
ここで、ブロードキャスト装置ＣＢＣは、「配信エリア」と「交換局」とのマッピングテーブルを記憶しており、かかるマッピングテーブルを参照して、当該ＥＴＷＳメッセージ（緊急情報）の配信エリアを決定する。
【００３７】
ステップＳ２０２において、ＥＴＷＳメッセージを受信した交換局ＭＭＥ２及びＭＭＥ５は、受信したＥＴＷＳメッセージに含まれている配信エリアに対応する無線基地局ｅＮＢに対して、かかるＥＴＷＳメッセージを転送する。
【００３８】
ここで、交換局ＭＭＥは、「配信エリア」と「無線基地局」とのマッピングテーブルを記憶しており、かかるマッピングテーブルを参照して、当該ＥＴＷＳメッセージ（緊急情報）の配信エリアに対応する無線基地局ｅＮＢを抽出する。
【００３９】
ステップＳ２０３において、ＥＴＷＳメッセージを受信した複数の無線基地局ｅＮＢは、受信したＥＴＷＳメッセージに含まれている配信エリアに対応するセル１０乃至２０に対して、かかるＥＴＷＳメッセージに含まれている緊急情報をブロードキャストする。
【００４０】
ここで、無線基地局ｅＮＢは、「配信エリア」と「セル」とのマッピングテーブルを記憶しており、かかるマッピングテーブルを参照して、当該ＥＴＷＳメッセージ（緊急情報）の配信エリアに対応するセルを抽出する。
【００４１】
第３に、図４を参照して、本実施形態に係る緊急情報通知システムにおけるＥＴＷＳメッセージの送信方法（３）について説明する。
【００４２】
図４に示すように、ステップＳ３０１において、ブロードキャスト装置ＣＢＣは、ＣＢＳプロバイダから受信した緊急情報に基づいて、当該緊急情報の配信エリアを決定し、当該配信エリア及び当該緊急情報を含むＥＴＷＳメッセージを、当該配信エリアに対応する交換局ＭＭＥ２及びＭＭＥ５に対して送信する。
【００４３】
ここで、ブロードキャスト装置ＣＢＣは、「配信エリア」と「交換局」とのマッピングテーブルを記憶しており、かかるマッピングテーブルを参照して、当該ＥＴＷＳメッセージ（緊急情報）の配信エリアを決定する。
【００４４】
ステップＳ３０２において、ＥＴＷＳメッセージを受信した交換局ＭＭＥ２及びＭＭＥ５は、受信したＥＴＷＳメッセージに含まれている配信エリアに対応する無線基地局ｅＮＢに対して、かかるＥＴＷＳメッセージを転送する。
【００４５】
ここで、交換局ＭＭＥは、「配信エリア」と「無線基地局」とのマッピングテーブルを記憶しており、かかるマッピングテーブルを参照して、当該ＥＴＷＳメッセージ（緊急情報）の配信エリアに対応する無線基地局ｅＮＢを抽出する。
【００４６】
ステップＳ３０３において、ＥＴＷＳメッセージを受信した複数の無線基地局ｅＮＢは、各々の配下の全てのセル１０乃至２１に対して、受信したＥＴＷＳメッセージに含まれている緊急情報をブロードキャストする。
【００４７】
第４に、図５を参照して、本実施形態に係る緊急情報通知システムにおけるＥＴＷＳメッセージの送信方法（４）について説明する。
【００４８】
図５に示すように、ステップＳ４０１において、ブロードキャスト装置ＣＢＣは、ＣＢＳプロバイダから受信した緊急情報に基づいて、当該緊急情報の配信エリアを決定し、当該配信エリア及び当該緊急情報を含むＥＴＷＳメッセージを、当該配信エリアに対応する交換局ＭＭＥ２及びＭＭＥ５に対して送信する。
【００４９】
ここで、ブロードキャスト装置ＣＢＣは、「配信エリア」と「交換局」とのマッピングテーブルを記憶しており、かかるマッピングテーブルを参照して、当該ＥＴＷＳメッセージ（緊急情報）の配信エリアを決定する。
【００５０】
ステップＳ４０２において、ＥＴＷＳメッセージを受信した交換局ＭＭＥ２及びＭＭＥ５は、受信したＥＴＷＳメッセージに含まれている配信エリアに対応するセル１０乃至２０を管理する無線基地局ｅＮＢに対して、かかるセルの識別情報（セルＩＤリスト）を含むＥＴＷＳメッセージを生成して送信する。
【００５１】
ここで、交換局ＭＭＥは、「配信エリア」と「セル」とのマッピングテーブルを記憶しており、かかるマッピングテーブルを参照して、当該ＥＴＷＳメッセージ（緊急情報）の配信エリアに対応するセルを抽出し、抽出したセルに基づき、同一の無線基地局ｅＮＢに対して、セルＩＤリストを含む１つのＥＴＷＳメッセージを作成して送信する。
【００５２】
ステップＳ４０３において、ＥＴＷＳメッセージを受信した複数の無線基地局ｅＮＢは、受信したＥＴＷＳメッセージに含まれているセル１０乃至２０に対して、かかるＥＴＷＳメッセージに含まれている緊急情報をブロードキャストする。
【００５３】
（本発明の第１の実施形態に係る緊急情報通知システムの作用・効果）
本発明の第１の実施形態に係る緊急情報通知システムによれば、「ＥＰＣ方式」や「Ｅ-ＵＴＲＡＮ方式」の移動通信システムにおいて、配信エリア内の複数の移動局に対して緊急情報を迅速に且つ正確に通知することができる。
【００５４】
（変更例）
なお、上述のブロードキャスト装置ＣＢＣや交換局ＭＭＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００５５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ブロードキャスト装置ＣＢＣや交換局ＭＭＥや無線基地局ｅＮＢ内に設けられていてもよい。また、かかる記憶媒体及びプロセッサは、ディスクリートコンポーネントとしてブロードキャスト装置ＣＢＣや交換局ＭＭＥや無線基地局ｅＮＢ内に設けられていてもよい。
【００５７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００５８】
【図１】本発明の第１の実施形態に係る移動通信システムの全体構成図である。
【図２】本発明の第１の実施形態に係る移動通信システムにおける緊急情報の送信方法について説明するための図である。
【図３】本発明の第１の実施形態に係る移動通信システムにおける緊急情報の送信方法について説明するための図である。
【図４】本発明の第１の実施形態に係る移動通信システムにおける緊急情報の送信方法について説明するための図である。
【図５】本発明の第１の実施形態に係る移動通信システムにおける緊急情報の送信方法について説明するための図である。
【図６】ＥＰＣ方式及びＥ-ＵＴＲＡＮ方式においてＥＷＴＳサービスを提供する移動通信システムの構成を示す図である。
【図７】ＥＰＣ方式及びＥ-ＵＴＲＡＮ方式においてＥＷＴＳサービスを提供する移動通信システムのプロトコルスタックを示す図である。
【符号の説明】
【００５９】
ＣＢＣ…ブロードキャスト装置
ＭＭＥ…交換局
ｅＮＢ…無線基地局
【図１】
0004695164.tif 000002
【図２】
0004695164.tif 000003
【図３】
0004695164.tif 000004
【図４】
0004695164.tif 000005
【図５】
0004695164.tif 000006
【図６】
0004695164.tif 000007
【図７】
0004695164.tif 000008